(57)【要約】【課題】股下部、とくにその内腿付近での液等のモレ防止性が高く、かつ股間部分でのフィット感があり穿き心地に優れた使い捨ておむつを提供する。【解決手段】長手方向両側の幅広部４ｆ，４ｒとその間の括れ部４ｃを有する、平面視において砂時計形状の吸収性コア４を、前記幅広部を着用者の腹側及び背側にそれぞれ配置し、前記括れ部を股下に配置するようにしてなる使い捨ておむつ１０であって、該おむつ１０は前記吸収性コア４の括れ部４ｃの幅方向両外方に延在する股下フラップ部（Ｈ）を有し、該股下フラップ部（Ｈ）にはこれを構成するシート材を摘み込んでなる長手方向に延びるタック部５がある使い捨ておむつ１０。【選択図】図１
2010131073.tif 000002
【特許請求の範囲】
【請求項１】
長手方向両側の幅広部とその間の括れ部を有する、平面視において砂時計形状の吸収性コアを、前記幅広部を着用者の腹側及び背側にそれぞれ配置し、前記括れ部を股下に配置するようにしてなる使い捨ておむつであって、該おむつは前記吸収性コアの括れ部の幅方向両外方に延在する股下フラップ部を有し、該股下フラップ部にはこれを構成するシート材を摘み込んでなる長手方向に延びるタック部がある使い捨ておむつ。
【請求項２】
前記タック部は断面においてＵ字状であり、該断面Ｕ字状タック部の折返し頂部、側部、もしくは基底部に弾性伸縮部材が配設された請求項１項に記載の使い捨ておむつ。
【請求項３】
前記タック部が親水性シート及び撥水性シートを有して構成される請求項１又は２に記載の使い捨ておむつ。
【請求項４】
前記股下フラップ部のタック部が非肌面側に突出するようにされ、該タック部の基底部に弾性伸縮部材が配設された請求項１〜３のいずれか１項に記載の使い捨ておむつ。
【請求項５】
前記股下フラップ部のタック部が非肌面側に突出するようにされ、該タック部が該タック部の基底部で折り曲げて倒伏された請求項１〜４のいずれか１項に記載の使い捨ておむつ。
【請求項６】
前記股下フラップ部には前記タック部よりも吸収体幅方向外方にレッグギャザーを有しており、おむつの自然形状または着用状態形状において、前記タック部は肌面側に突出するようにされ、該タック部の突出高さ（ｈ１）がその幅方向外側方にあるレッグギャザーの起立高さ（ｈ２）と同等かそれより低い（ｈ１／ｈ２≦１）請求項１〜３のいずれか１項に記載の使い捨ておむつ。
【請求項７】
着用者の胴回りに沿わされる環状外装帯と、該外装帯の腹側部内面及び背側部内面に接合され股下に沿わされるよう垂設された下帯部材とを有する、パンツ型及び展開型の両用の使い捨ておむつであって、
前記環状外装帯の腹側部はそこにある破断誘導線に沿って切断して前記下帯部材から切り離し観音開きに開放可能であり、前記破断誘導線の切断により引き出し可能なファスニングテープが前記破断誘導線近傍で前記環状外装帯の切り離される側に固定し収納されており、
前記下帯部材は前記砂時計形状の吸収性コアを有し、該コアの中央括れ部の幅方向外方に延在する下帯部材の股下フラップ部に前記タック部が設けられている請求項１〜６のいずれか１項に記載の使い捨ておむつ。
【発明の詳細な説明】
【技術分野】
【０００１】
本発明は使い捨ておむつに関する。
【背景技術】
【０００２】
従来、使い捨ておむつとして、長手方向一端部の両側部に一対のファスニングテープを有し、該ファスニングテープを長手方向他端部の外面に設けたランディンゾーンに止着して用いる使い捨ておむつ（以下、展開型おむつという）と、ウエスト開口部と一対のレッグ開口部とが予め形成されている使い捨ておむつ（以下、パンツ型おむつという）が広く知られている。
【０００３】
これらのうち展開型の使い捨ておむつについて、おむつの幅方向両側でレッグ開口部をなす側縁部付近に内在する吸収性コアとともに表面材を肌面側に突出させた壁状の起立部を設けたものが開示されている（特許文献１〜３参照）。この展開型おむつによれば、着用時に足の付根あたりに移行してきた尿等があっても、上記起立部内部の吸収コアがこれを吸収して対応することができる。また、もっぱら乳幼児に着用させたときに、上記おむつ両側の起立部の内部には弾力性に富んだ吸収コアがあるため、起立部が内腿から股間のあたりに弾力的に変形してフィットする。
【０００４】
特許文献４には、「展開型おむつ」と「パンツ型おむつ」とのそれぞれの利点を１つのおむつで活かした技術が開示されている。具体的に、この使い捨ておむつは、一対のミシン目に挟まれた中央部分とこれを介して中央部分に連設された外方部とをおむつの腹側に有し、その破断されるミシン目部分にはファスニングテープが収納されており、このミシン目を破ってファスニングテープを引き出せば、「パンツ型おむつ」から「テープ型おむつ」に形態変更して使用することができるというものである。
【０００５】
【特許文献１】実開平５−９５２５号公報
【特許文献２】実開平１−１２５３１１号公報
【特許文献３】特開平２−１１１３６２号公報
【特許文献４】特開２００６−２０４６８８号公報
【発明の開示】
【発明が解決しようとする課題】
【０００６】
ところで、パンツ型おむつの穿きやすさや、パンツ型ないし展開型を問わず着用時の股間におけるフィット性を考慮し、吸収性コアを砂時計形状としたものがある。そのような吸収体を備えたおむつでは、着用時に股間直下が非肌面側に大きく膨らむような形態になったり、着用者の肌から離れてしまうことがあり、その部分でフィット性が良くなく着用者に不安定な感じを与える。また排尿等があたっときには、その隙間を伝わって液等の流れが生じてしまうと、排泄物がおむつの外へ漏れ出てしまうことともなりかねない。
【０００７】
本発明は、上記の砂時計形状の吸収コアを備えたおむつに特有の課題に鑑み、股下部、とくにその内腿付近での液等のモレ防止性が高く、かつ股間部分でのフィット感があり穿き心地に優れた使い捨ておむつの提供を目的とする。また、本発明は、とくに成人用の上記新型のパンツ型・展開型の両用おむつに適合し、上記の高いモレ防止性と穿き心地の良さとを両立して実現しうる使い捨ておむつの提供を目的とする。
【課題を解決するための手段】
【０００８】
本発明は、長手方向両側の幅広部とその間の括れ部を有する、平面視において砂時計形状の吸収性コアを、前記幅広部を着用者の腹側及び背側にそれぞれ配置し、前記括れ部を股下に配置するようにしてなる使い捨ておむつであって、該おむつは前記吸収性コアの括れ部の幅方向両外方に延在する股下フラップ部を有し、該股下フラップ部にはこれを構成するシート材を摘み込んでなる長手方向に延びるタック部がある使い捨ておむつを提供することにより、上記目的を達成したものである。
【発明の効果】
【０００９】
本発明の使い捨ておむつは、砂時計形状の吸収性コアを備えたおむつに特有の課題を解決し、股下部、とくにその内腿付近での液等のモレ防止性が高く、かつ股間部分で不用意に離間した隙間をあけずほどよいおむつと肌との密接状態を維持するため安定したフィット感があり穿き心地に優れる。また、本発明はとくに成人用の上記新型のパンツ型・展開型の両用おむつに適合し、上記の高いモレ防止性と穿き心地の良さとを両立して実現しうるという優れた作用効果を奏する。
【発明を実施するための最良の形態】
【００１０】
以下、本発明をその好ましい実施形態に基づき図面を参照しながら説明する。
図１は、本発明の好ましい実施形態（本実施形態１）としての成人用のパンツ型・展開型の両用使い捨ておむつ１０を着用時の形状で模式的に示す、着用者腹側から見た斜視図である。おむつ１０は、下帯部材１と環状外装帯２を備える。環状外装帯１はおよそ半周ずつをなす腹側部位２１及び背側部位２２からなり、該両部位は着用者の左右両側部において、サイドシール部３３を形成して接合されている。このサイドシール部３３におけるシートの接合方法は特に限定されず、ヒートシール、超音波シール等の手段により接合することができる。そして、環状外装体２は着用者の背丈方向上側において環状のウエスト開口部Ｗｏをなし、ここに着用者の胴回りを通して着用される。他方、下帯部材１は、環状外装帯２の腹側部位２１の内面（肌当接面側の面）及び背側部位２２の内面に、下帯部材１の両端部がそれぞれ接合され、着用者の股下に沿うよう垂設されている。これにより、一対のレッグ開口部Ｌｏが形成され、全体として褌構造のパンツ形状が構成されている。
【００１１】
腹側部位２１及び背側部位２２と下帯部材１との固定方法は、特に限定されるものではなく、下帯部材１と腹側部位２１または背側部位２２と重なっている部分の所定の領域で略全域において、接着剤等により固定したり、下帯部材１の周縁部のみにおいて、両者を接合したり、下帯部材１の幅方向の中央部のみ又は両端部のみで両者を接合することもできる。また、接着剤に代えて、ヒートシール、超音波シール等を用いることもできる。上記下帯部材１と環状外装帯２との面接合は、たとえば面状、散点状、線状、スパイラル状に塗付したホットメルト接着剤などにより行うことができる。
【００１２】
図２は図１に示したパンツ型・展開型両用使い捨ておむつを破断誘導線２４で破断して展開したときの状態を一部切欠して模式的に示した展開平面図である。破断して展開された環状外装帯２の開放主部（腹側部位２１の前身頃開放可能部２１ａと背側部位（後身頃）２２の連設部材）は全体においてＴ字状であり、胴回り方向（Ｘ方向）をやや長手方向とした形状をなしている。ただし、Ｔ字としたときの横棒と縦棒との交わり部分の輪郭は両側の外形において緩やかな逆円弧状、すなわち外装帯２の内方に入り込むような円弧をなすようにされている。そして、外装帯の開放主部の長手方向すなわちおむつ幅方向（Ｘ方向）の中央部付近が、下帯部材１の一端部（背側後方部Ｒ側の端部）の外面（非肌面側の面）を覆っており、この覆う部分で環状外装帯２と下帯部材１とが接合されている。下帯部材１の他端部（腹側前方部Ｆ側の端部）の外面は、腹側部位２１（前身頃開放可能部２１ａ、前身頃非開放部２１ｂ）によって覆わるが、この下帯部材１の他端部の外面を覆う部分の一部（前身頃非開放部２１ｂ）において下帯部材１の外面に固定されている。このようにして、環状外装帯２と下帯部材１とを接合して組立てたおむつ１０は上記破断展開状態においてもＴ字形状であり、前記の環状外装帯２がなすＴ字形状の縦棒部分がさらに延びたようにされている。このようにして、本実施形態のおむつ１０は全体において背側後方部Ｒと腹側前方部Ｆとこの両部に介在された股下中間部Ｃとに区画され、着用状態では上記前方部Ｆと後方部Ｒとが連結され胴回り部Ｄを構成する（図１参照）。
【００１３】
環状外装帯２の腹側部位２１は、おむつ長さ方向（Ｙ方向）に延びる一対の破断可能な破断誘導線２４を有し、これに挟まれた前身頃非開放部（中央部分）２１ｂと前身頃開放部（外側方部分）２１ａとに区分される。本実施形態においては、この破断誘導線２４が線状に形成されたミシン目で構成されており（図１参照）、それぞれ腹側部位２１の上下端間に亘って延びている。そして、このミシン目により形成された破断誘導線２４に沿って着用者ないしは介助者等の手で前身頃非開放部２１ｂ（破断線２４ｂ）と前身頃開放部２１ａ（破断線２４ａ）とに分離するように破断し、前身頃開放部２１ａを開くことで下帯部材１から切り離して、環状外装帯２の腹側を観音開きに開放して展開型のおむつの形状とすることができる。
【００１４】
本実施形態においては、環状外装帯２の背側部位２２は全体において台形の下底に長方形が組み合わされた火山の断面を逆さにしたような形状を有しており、この逆さ台形部分が主に着用者の臀部を覆うように着用される。そして、その背側部位２２における逆さ台形部分の臀部対応部の両側方には、着用者の背後から見て背丈方向に上開き（逆「八」の字）状になるように配設された左右一対の臀溝適合性弾性伸縮部材７１を有している。この臀溝適合性弾性伸縮部材７１が着用時に着用者の臀部のでっぱりに合わせて適度な張力（伸縮応力）を発揮して、ヒップギャザーをなし、とりわけ弾性伸縮部材７１の股下側の部分が着用者の臀溝のあたりにやや食い込むようにして適合する。さらに、弾性伸縮部材７１の臀溝部分から背丈方向の上方にかけておしりの左右のやや下方で張り出したふくらみを両側からつつみ、軽く引き上げるようにして良好にフィットする。
【００１５】
本実施形態１において環状外装帯２は、不織布などの２枚のシートから形成され（図では１枚のものとして示している。）、この２枚のシート間に、胴回り方向に沿ってウエスト弾性伸縮部材７２及び胴回り弾性伸縮部材７３を伸長状態で固定している。この弾性伸縮部材７２，７３が着用状態で適度に胴回り方向に収縮してそれぞれウエストギャザー及び胴回りギャザーを形成しながら、着用者の胴回りにフィットしておむつ１０を着用者に密着させる。
【００１６】
下帯部材１のおむつ幅方向（Ｘ方向）の両側縁部は着用時にレッグ開口部Ｌｏをなす長手方向（Ｙ方向）に沿って伸びるレッグギャザー用弾性伸縮部材７４が配されている。このレッグギャザー用弾性伸縮部材７４の張力（伸縮応力）により、着用時には足回りに良好なレッグギャザーを形成しながら、適度に締め付けて包み込むようにして、着用者の太腿ないし足の付根のあたりにフィットする。
【００１７】
図３は、図１のおむつの着用者左側のミシン目で構成された破断誘導線２４を破断した状態を示す斜視図である。本実施形態のおむつ１０においては、環状外装帯２の上記破断誘導線２４の近傍で腹側部位２１の前身頃開放可能部２１ａの内側（肌面側）に固定されたファスニングテープ３が配設されている。このファスニングテープ３は、基材シート３ａのさらに肌面側に面状ファスナー３ｂが取り付けられており、破断誘導線２４の破断により分離開放した開放可能部２１ａから上記面状ファスナー３ｂのある耳Ｍの部分を引き出すことができる。ファスニングテープ３の基材シート３ａは、例えば、不織布や不織布と樹脂フィルムの積層体等から構成することができる。面状ファスナー（雄材）は、鉤状ないしキノコ状の微小突起を係着面３ｉに密集して配設した構造のものが挙げられる。具体的には、メス部材に対して着脱自在に止着可能である通常の機械的面ファスナーを用いることができる。面状ファスナー３ｂを係着させる相手側部材は、通常の不織布でもよく、例えばループ状ないし捲縮した繊維面を有する布材等を用いることができる。したがって、おむつの不織布を用いた任意の面に通常係着可能であり、またとくに係着に適した素材を別途適用してランディング部としてもよい。本実施形態においては、腹側部位２１の前身頃非開放部２１ｂの非肌面が係着性の良好なランディング部とされている。なお、収納状態におけるファスニングテープ３は、その係着面３ｉが基材シート３ａの内面側表面に接着固定された機械的面ファスナーのメス部材に仮着されている。
【００１８】
本実施形態においては、各破断誘導線（ミシン目）２４は、下帯部材１の幅方向両側部に、外方部となる前身頃開放可能部２１ａと重なる部分１ｃを形成する観点から、下帯部材１の幅方向両側縁１ｓの位置より内側に形成されている。このように下帯部材１に前身頃開放可能部２１ａと重なる部分１ｃを形成することで、ファスニングテープ３の耳Ｍを下帯部材１と重ねて配置でき、それにより、ファスニングテープ３の耳Ｍが着用者に接触して不快感や違和感を与えることを防止できる。また、ミシン目２４の下に剛性が比較的高い下帯部材１が存在することによって、ミシン目２４の破断操作を的確に行うことができる。
【００１９】
本実施形態においては、破断誘導線２４が、おむつ１０を着用者の臍に対応する部位を挟んでその両側に背丈方向に延び、略平行に設けられている。このとき、略平行に設けられている破断誘導線（ミシン目）２４は、着用時の形状としては着用者の体形に応じて腹側部位２１の上方から下方に向かうにつれて、着用者の正中面に対応する切断線（おむつ縦方向中央線）に近づくように若干傾斜させて形成されて、つまり若干逆「八」の字状になることもある。破断誘導線（ミシン目）２４は、本実施形態のように直線状のものであっても、円弧状やサインカーブ状等の曲線状のものであってもよい。
【００２０】
破断誘導線２４をなすミシン目は、おむつ製造中及びおむつ装着中に破れない強度を維持しながら、使用場面において比較的容易に破断することが好ましい。このため、腹側部位２１のミシン目２４の上方端部及び下方端部は、腹側部位２１の上下の端縁からわずかに距離ｄを介して離れていることが好ましい（図１着用者左側破断誘導線参照）。腹側部位２１の上下の端縁それぞれから、各端縁に最も近い切れ目までの距離ｄが１．５ｍｍ以上であることが好ましい。他方、ミシン目の切れ目の長さＬａとその切れ目間の長さＬｂとの比率〔Ｌａ／Ｌｂ〕は、適当な破断強度を確保する観点から、２〜８の範囲内であることが好ましく、３〜７の範囲内であることがより好ましい。数値的に言えばＬａは２〜１０ｍｍ、Ｌｂは１〜５ｍｍの範囲内であることが好ましい。また、必要に応じて、破断誘導線の破断開始部に起点となる凹欠部や掴み代を設けることもできる。なお、図１及び３においては、ミシン目の大きさ及び端縁の距離ｄを図面上の視認性を考慮しやや誇張して示している。
【００２１】
次に、本実施形態の使い捨ておむつの要部である下帯部材１における砂時計形状の吸収性コア４およびその中央の括れ部４ｃの外側方に延在する股下フラップ部Ｈに形成されたタック部５について図２に基づき説明する。
本実施形態１においては、展開状態の平面視において図示したもののように砂時計形状、すなわち長手方向（Ｙ方向）の両側の幅広部４ｆ，４ｒに対して、その中間に介在する括れ部４ｃが緩やかに内方に入り込む逆円弧状になって括れた形状となっている。ここで、上記吸収性コア４の長手方向両側において前方部Ｆにある幅広部４ｆは着用者の腹側に沿わされ、後方部Ｒにある幅広部４ｒは背側に沿わされる。そして、中間部Ｃにあたる位置にある吸収性コアの股下括れ部４ｃは着用者の尿排泄対応領域Ｐ，Ｑ（男性の場合は領域Ｑ、女性の場合は領域Ｐとなる。）から便排泄対応領域Ｏにかけて沿うようにされる。そして上記女性着用者の場合の尿排泄対応領域Ｐが着用者の股下直下に相当し、領域Ｏ，Ｑがその周辺に位置する。このようにして、吸収性コア４は着用者のおよそ下腹部から臀部にかけて股間を介して沿わされる。
【００２２】
さらに詳しく上記吸収性コア４の砂時計形状についていうと、幅広部４ｆ，４ｒの最大幅Ｗ１（Ｗ１ｆ，Ｗ１ｒ）が括れ部４ｃの最小幅Ｗ２より広くされており、具体的な幅の関係は特に限定されないが、上記幅広部４ｆ，４ｒの最大幅Ｗ１に対する括れ部４ｃの最小幅Ｗ２の比（Ｗ２／Ｗ１）が７５％以下であることが好ましく、４０〜６０％であることがより好ましい。このように中央において大きく括れのある、つまり括れ部の最小幅Ｗ２が幅広部の最大幅Ｗ１より相当程度小さくなるようにされることで、着用時には着用者の内腿へのあたりが抑えられ、たとえば歩行時に内腿のあたりが擦れるゴワゴワとした感じがない良好な穿き心地が実現される。また、パンツ型おむつとして使用する際に足を通して穿く際に、つま先が吸収性コアないしその近傍に引っ掛かってしまい、たとえば老人などが転倒して怪我をするようなことが好適に防止される。
【００２３】
本実施形態１のおむつにおいては、その下帯部材１が上記の吸収性コア４を内在するように、その肌面側に表面シート６と、非肌面側に裏面シート８とが配設されている。そして、この裏面シート８の幅方向（Ｘ方向）両側を表面シート６側に折り返して、包み込むようにして吸収性コア４を内方している。上記表面シート６と裏面シート８との長手方向（Ｙ方向）両側での接合はたとえばホットメルト接着剤等によって適宜行えばよい。この下帯部材１において、背側部Ｒの端部には内在する吸収性コア４より外方に延在する部分はほとんどないが、腹側部Ｆの長手方向外方よび中間部Ｃの幅方向両外方においては、それぞれ吸収性コア４より外方に延在する部分がある。このような吸収性コアに対するシート部材の外方延在部を「フラップ部（Ｈ）」と称する。その部分を構成するシート部材は、１層であっても複数のシートが積層された複合シートであってもよく、弾性伸縮部材など機能性素材と組み合わせて構成されていてもよい。
【００２４】
本実施形態１において、下帯部材１は全体において長手方向（Ｙ方向）にむけて長尺矩形の部材とされているが、上記股下フラップ部Ｈにおいてそのシート材を摘み込んでなるタック部５が形成されている。そのため、下帯部材１の股下中間部Ｃにおける外側縁１ｓは上記シート材が摘み込まれた分だけ内方に寄せ込まれており、矩形仮想線１ｋより括れる外側縁１ｓとなっている。この点でもまた、上記吸収性コアを砂時計形状としたときと同様の股下での擦れ抑制効果およびパンツ型おむつにおける穿くときの転倒防止効果を奏する。
【００２５】
図４は図１および図２のＡ−Ａ線断面からみた一部断面斜視図であり、おおむね図１と同様の着用状態の形状として、下帯部材１の部分のみを示したものである。なお、図４（ａ）は上記意味での一部断面斜視図であり、図４（ｂ）は図（ａ）中ｂで示した部分（図面右側のタック部５から、レッグギャザーであるサイド起立ギャザー９にかけての領域）を拡大した拡大断面図（端面図）である。このことは、以下の図５，６においても同様である。同図に示したように、当該下帯部材１の基本構成部材は、表面シート６、裏面シート８、および吸収性コア４であり、該吸収性コアを介在して肌面側中央に表面シート６が配設され、非肌面側に配設された裏面シート８が幅方向（Ｘ方向）両側で肌面側に巻き上げられ、タック部５を越えて表面シート６を覆い込むようにして形成されている。そして、下帯部材１の幅方向両側には、ひも状のレッグギャザー用弾性伸縮部材７４が長手方向に延びて片側３本ずつ配設され（図示したものにおいては２本のものとして示している。）、この部分が自然形状ないし着用状態において起立するようにされている。表面シート６、裏面シート８、及び吸収性コア４の接合は、適宜必要な部分で行えばよく、例えば、点状、線状、面状、もしくはスパイラル状にパターンを使い分けたホットメルト法により接合するこができ。
【００２６】
本実施形態１において、タック部５は肌面側に突出するように形成されている。このタック部は断面においてＵ字状にされており、その折り返し頂部５ａに長手方向に伸びるひも状のタック部弾性伸縮部材７５が重ねられた裏面シート８どうしの間に挟持されるように配設されている。このときのタック部弾性伸縮部材７５の接着方法は特に限定されず通常この種物品の弾性伸縮部材と不織布等のシートとの間を接着する方法が好適に採用される。そして、タック部の側部５ｂの内側（吸収性コア側）では表面シート６と裏面シート８とが積層されこの箇所ｕで両シートが接合されている。すなわち、タック部の内側箇所ｕで親水性の表面シート６から撥水性の裏面シート８へと構成するシート材が切り替えられている。このようにすることにより、吸収性コア４で一度保持した尿等の排泄物が外方Ｇに漏れ出ようとしたとしても、表面シート６による移行にとどまり、上記タック部内側で撥水性の裏面シート８に到達したところで、上記液等の移行は確実に遮断される。その結果、タック部５がきわめて高い防漏壁作用を果たし、長時間たとえば成人の排尿のような多量な排泄物を処理する場合にも横漏れ等の心配から開放され安心してその着用を継続することができる。
【００２７】
上述のようなタック部５の起立性および形状安定性を一層良好に維持・持続するよう摘み込まれた股下フラップ部Ｈのシート材が突き合わされた基底部（付け根）５ｃにおいて、対面する裏面シートどうしが固定部５ｄを介して接合されている。この工程部５ｄは安定した固定状態がたもたれればどのような方法によってもよいが、より強固かつ耐久性の高い接合性を考慮して、たとえば接着力の強いホットメルト接着剤により接合したり、ヒートシールないしヒートエンボス加工等により接合したりしてもよい。
【００２８】
本実施形態１におけるタック部のさらに重要な機能として、股下直下Ｐおよびその周辺Ｑ、Ｏ（図２,４参照）での着用者の肌面に対するフィット性を大幅に良化することが挙げられる。すなわちこの股下直下およびその周辺、つまり着用者の肛門から排尿領域にかけての液流れや漏れの防止性を高める着用者の肌面への密着性を格段に向上させる。とくに本実施形態のように、シート材に対してやや硬さのある吸収性コア４として股下部で大きく括れた砂時形状のものを採用すると、前述のように、上記股下直下Ｐおよびその周辺での非肌面側への膨らみ変形が顕著になり、本来しっかりと密着することが求められるその部分が、逆に浮き上がってしまうようになりがちである。本発明によれば、このような砂時計形状の吸収性コアにおける特有の課題を好適に解決することができる。
【００２９】
本実施形態１のおむつにおける上記股間部でのおむつの密着性の向上は、さらに着用者に対して大きな安心感を与える。従来のもののように、この部分でおむつ内面が浮いたようになりがちで、肌面から離れてしまうと、排泄前であっても、排泄物をしっかりと捕らえることができないのではないかという、何か不安定な感じが残り、着用者に落ち着かない感じを与えることがある。このような感覚は、感覚的なものではあっても大きな問題として抱かれる傾向がある。すなわち、本実施形態１のおむつは、上記タック部５を股下直下からその周辺に対応する股下中間部Ｃに配置し、その摘み込まれた作用により股間部のおむつ部分がうまく着用者の肌側に引き上げられ、曲率の方向が逆になり鞍面形状になって複雑に起伏する内腿と股間とがなす湾曲にも好適に対応してフィットする。その結果、着用者に上述のような不安感を与えず良好な穿き心地が実現される。
【００３０】
タック部５の高さｈ１は特に限定されず、上述した防漏壁作用および摘み込むフラップ部の構成シート材の長さ（タック部断面の基底部５ｃ、側部５ｂ、および頂部５ａの合計のシート長さに相当する。）によるおむつ股下部分のひきあげ量との関係で適宜定めればよいが、例えば大人用のおむつにおいて高さｈ１を２０〜１００ｍｍとすることが好ましい。また、レッグギャザーの起立高さｈ２に対するタック部高さｈ１の比（ｈ１／ｈ２）は１以下であることが好ましく、０．５５〜０．８５であることがより好ましい。
【００３１】
図５は本発明の別の好ましい実施形態（実施形態２）における使い捨いておむつの、図４と同様の断面からみたときの、一部断面斜視図である。本実施形態２においては、上記実施形態１とは異なりタック部５が非肌面側に突出するようにされている。このようにすることで、タック部５の内部空間Ｔがトラップ機能を果たし、横漏れにより吸収性コアから移行してきた排泄液等があっても、この空間Ｔに取り込むように幅方向外方Ｇに移行することを妨げる。このようなトラップ機能を考慮し、本実施形態２においては親水性の表面シート６から撥水性の裏面シート８へのシート材の切り替えをタック部５より外方の箇所ｕで行っている。
【００３２】
また本実施形態２においては、タック部の弾性伸縮部材７５をタック部の折り返し基底部５ｃに配設している。このようにすることにより、タックの長さ方向における前後方向が湾曲しやすくなり、その結果液をトラップする空間の入り口が形成され易くなるので、より液をトラップし易くなる。この基底部５ｃで固定部５ｄを介して突き合ったシート部どうしが接合されていることは上記実施形態１と同様である。また、本実施形態２のタック部５により股下直下およびその周辺のおむつ部分が引き上げられ密着性が良化する効果は上記実施形態１と同様である。本実施形態において非肌面（裏面）側に突出するタック部の高さｈ３は特に限定されないが、例えば大人用のおむつにおいて１０〜５０ｍｍ程度であることが好ましい。
【００３３】
図６は本発明のまた別の好ましい実施形態（実施形態３）における使い捨ておむつの、図４と同様の断面からみたときの、一部断面斜視図である。本実施形態３においては、タック部５が非肌面側に突出するようにされ、さらにその基底部５ｃで幅方向外方Ｇに折り曲げられ倒伏させられている。このようにすることで、タック部５の内部空間Ｔがトラップ機能を果たすことは上記実施形態２と同様である。さらに、着用者が横向きの状態で排泄したときに、おむつ表面を流れた液をトラップし易くなるとともに、一度トラップした液が吸収体４側に流れ易くなるので、サイド起立ギャザー９の外方Ｇに液が直接流れにくくなり、漏れ防止に有効である。上記倒伏させたタック部の幅ｗは特に限定されないが、例えば大人用のおむつにおいて１０〜５０ｍｍとすることができる。
【００３４】
本実施形態３においては、タック部弾性伸縮部材７５がタック部の折り返し頂部５ａに配設され、基底部５ｃで固定部５ｄを介して突き合ったシート部どうしが接合されており、さらに倒伏して当接したタック部頂部５ａとサイド起立ギャザー９の外方Ｇへ向かう股下フラップ部の構成シート材の一部（裏面シート８）とが固定部５ｅを介して接合されている。これにより、さらに、座ったときなどにトラップの空間が潰れるような場合でもタック部弾性部材７５によってトラップ空間が拡がり易くなるので、より高いトラップを得ることが可能となる。なお、本実施形態３のタック部５により股下直下およびその周辺のおむつ部分が引き上げられ密着性が良化する効果は、上記実施形態１，２と同様である。
【００３５】
上記各実施形態のおむつは、使用開始時にパンツ型の形態のまま着脱することができるため、自立意識の高い起立状態で着脱できる着用者に対して、自分でパンツを穿くというニーズに応えることができる。さらに、上記のように砂時計形状で中央に括れがある吸収性コアの形状およびその括れの外方両側のフラップ部にタック部を設けた特有の構造により、着用者が足を通すときの不用意な引っかかりをなくし着用者の転倒を防ぐことができる非常に穿きやすいものとなっている。そして、２回目以降の着脱においては必要により、ミシン目３４を破断し取り出したファスニグテープで再接合することにより展開型おむつと同様にして使用することもできるため、横になったままでも交換が簡単にでき、介助者が軽便におむつ交換をすることができる。このような利点より、本発明のおむつは介助が必要でありながら自立する訓練も必要となる高齢者や身体障害者のリハビリ用おむつとして特に適している。
【００３６】
本発明の使い捨ておむつの各構成材料としては、通常用いられている各種の材料を特に制限なく用いることができる。例えば、肌に接触する部位に使用するシート材は、肌触りの良い材料、例えば、不織布や布等であることが好ましい。吸収コアとしては、例えば、解繊パルプや捲縮アセテート繊維のトウ等の繊維からなる繊維集合体や、繊維集合体に吸水性ポリマーを保持させてなるものが好ましい。上記の各弾性伸縮部材の材料としては、吸収性物品に用いられる通常の弾性材料を用いることができ、例えば素材としては、スチレン−ブタジエン、ブタジエン、イソプレン、ネオプレン等の合成ゴム、天然ゴム、ＥＶＡ、伸縮性ポリオレフィン、ポリウレタン等を挙げることができ、形態としては、断面が矩形、正方形、円形、多角形状等の糸状ないし紐状（平ゴム等）のもの、或いはマルチフィラメントタイプの糸状のもの等を用いることができる。機械的ファスナーのオス部材及びメス部材としては、通常の機械的ファスナー、例えば「マジックテープ（登録商標）」（クラレ社製）、「クイックロン（登録商標）」（ＹＫＫ社製）、「マジクロス（登録商標）」（カネボウベルタッチ社製）等におけるオス部材及びメス部材を用いることができる。機械的ファスナーのメス部材としてはこれに直接係合可能な材料、例えば係合性に富む不織布を用いることもできる。
【００３７】
本発明の使い捨ておむつは、上述した実施形態に制限されず、本発明の趣旨を逸脱しない範囲で種々変更が可能である。例えば、機械的面ファスナーに代えて、粘着剤を塗工して形成した粘着部を設けることもできる。また、破断誘導線としては、切り取り線としての効果があれば特に制限なく用いることができる。例えば、熱シール、超音波シールなどにより誘導線に沿って破断強度の強弱が形成されるのであれば孔の有無は問わない。また、本発明の使い捨ておむつは、上記各実施形態に示した成人用のものほか、幼児用のものであってもよい。
【実施例】
【００３８】
以下、本発明を実施例に基づきさらに詳細に説明するが、本発明はこれに限定されるものではない。
【００３９】
［実施例］
図１に示す形態のパンツ型・展開型両用使い捨ておむつを基本構造とし、図４に示すタック部を有するおむつ試験体１、図５に示すタック部を有するおむつ試験体２、図６に示すタック部を有するおむつ試験体３を作製した。
【００４０】
［参考例］
上記タック部を設けなかった以外は、実施例と同様にして、比較のためのおむつ試験体ｃ１を作製した。
【００４１】
［股間部フィット状態評価］
図７の模式的な正面図による説明図で示すように、モデル人形６１に、おむつ試験体１〜３およびおむつ試験体ｃ１をはかせ、股間直下の肌面から、垂直方向のおむつ外装帯表面までの距離Ｌを測定した。結果を表１に示す。
【００４２】
［装着感評価］
被験者（パネル）に、実施例のおむつ試験体１〜３および参考例のおむつ試験体ｃ１のおむつをパンツ型及び展開型としてそれぞれ装着してもらい、参考例のおむつをまず装着してもらい、次いで各実施例のおむつを装着し、股間部の違和感が気になる程度をその装着感として評価した。「参考例のおむつよりも短い時間で違和感が気にならなくなったもの」を「○」、「違和感がなくなる時間が参考例と同じ程度であるもの」を「△として評価した。
【００４３】
［液漏れ防止性評価］
排尿ポイント１０５を設けたモデル人形１００に、実施例のおむつ試験体１〜３および参考例のおむつ試験体ｃ１をはかせ、モデル人形１００を傾斜角度３０度に傾けた。図８は、このときの状態を股下側から見た説明図である。モデル人形１００に設けられた排泄ポイント１０５から、生理食塩水を、排泄量５０ｇ／回、排泄速度５ｇ／ｓで排出させた。この排出を５分間隔で繰り返した後、おむつから生理食塩水が漏れるまでの液吸収量（総排泄量から漏れた量を差し引いた値）を測定した。なお、試験は２５℃で行った。
結果を表２に示す。
【００４４】
［表１］
−−−−−−−−−−−−−−−−−−−−−−−−−−−−−−−−
おむつ試験体      距離Ｌ        装着感      液吸収量
−−−−−−−−−−−−−−−−−−−−−−−−−−−−−−−−
１              ３５ｍｍ        △        ５００ｇ
２              ２５ｍｍ        ○        ４００ｇ
３              １０ｍｍ        ○        ４５０ｇ
ｃ１            ６５ｍｍ        −        ３５０ｇ
−−−−−−−−−−−−−−−−−−−−−−−−−−−−−−−−
【００４５】
表１から示されるように、参考例のおむつと比較して、臀裂適合性弾性伸縮部材を設けた実施例のおむつ試験体では、おむつとモデル股間との距離（Ｌ）が短く、また、吸収量も大幅に向上し、十分に液モレを防止することができた。また、パンツ型において装着したときに、足を通しやくす転倒などの心配が低減したとの評価を受けた。
【図面の簡単な説明】
【００４６】
【図１】本発明の一実施形態（本実施形態１）としての使い捨ておむつを模式的に示す腹側からみた斜視図である。
【図２】図１のおむつの破断誘導線を破断して展開した状態を表面シート側から見た状態を示す一部切欠展開平面図である。
【図３】図１のおむつの片側の破断誘導線を破断した状態を示す斜視図である。
【図４】図４（ａ）は図１に示した使い捨ておむつの下帯部材をＡ−Ａ線断面からみて示した一部断面斜視図であり、図４（ｂ）は図４（ａ）の領域ｂの拡大断面図である。
【図５】図５（ａ）は本発明の別の実施形態（本実施形態２）としての使い捨ておむつを模式的に示す図４に対応する断面からみた一部断面斜視図であり、図５（ｂ）は図５（ａ）の領域ｂの拡大断面図である。
【図６】図５（ａ）は本発明のまた別の実施形態（本実施形態３）としての使い捨ておむつを模式的に示す図４に対応する断面からみた一部断面斜視図であり、図５（ｂ）は図５（ａ）の領域ｂの拡大断面図である。
【図７】実施例の股間部フィット状態評価試験の説明図である。
【図８】実施例の液漏れ防止性評価試験の説明図である。
【符号の説明】
【００４７】
１  下帯部材
２  環状外装帯
２１  腹側部位
２２  背側部位
２４  破断誘導線（ミシン目）
３  ファスニングテープ
４  吸収性コア
６  表面シート
８  裏面シート
１０  使い捨ておむつ
３３  サイドシール部
７２、７３、７４、７５  弾性伸縮部材
【図１】
2010131073.tif 000003
【図２】
2010131073.tif 000004
【図３】
2010131073.tif 000005
【図４】
2010131073.tif 000006
【図５】
2010131073.tif 000007
【図６】
2010131073.tif 000008
【図７】
2010131073.tif 000009
【図８】
2010131073.tif 000010